(57)【要約】【課題】電源コードが過度に高温になることを防止することができるコードリールを提供する。【解決手段】コードリール１は、リールと電源コード３と出力コンセント４と感温部５と遮断部６とを有する。リールは、筒状の胴部と、軸方向の胴部の両端部に配される側板部とを備える。電源コードは、外部の三相電源に差し込み可能な電源プラグを一端に備える。電源コードは、胴部の外周部に巻き取り可能に構成されている。出力コンセント４は、リールに設けられている。出力コンセント４は、電源コード３の他端側に接続されている。感温部５は、電源コード３の温度を感知する。遮断部６は、感温部５で感知する電源コード３の温度が所定温度以上であるときに、電源コード３の三相すべての相の電線から出力コンセント４への給電を遮断する。【選択図】図５
0003218507.tif 000002
【実用新案登録請求の範囲】
【請求項１】
筒状の胴部と、軸方向の前記胴部の両端部に配される側板部とを備えたリールと、
外部の三相電源に差し込み可能な電源プラグを一端に備えるとともに、前記胴部の外周部に巻き取られる三相の電源コードと、
前記リールに設けられるとともに、前記電源コードの他端側に接続された出力コンセントと、
前記電源コードの温度を感知する感温部と、
前記感温部で感知する前記電源コードの温度が所定温度以上であるときに、前記電源コードの三相すべての相の電線から前記出力コンセントへの給電を遮断する遮断部と、を有する、コードリール。
【請求項２】
前記遮断部は、前記電源コードの各相と前記出力コンセントとの間に接続された３つの接点と、通電の有無により３つの前記接点のオンオフを切り替える操作コイルと、を有する電磁接触器である、請求項１に記載のコードリール。
【請求項３】
前記感温部は、前記操作コイルに接続されるとともに、前記電源コードの温度に応じて前記操作コイルを通電状態と非通電状態との間で切り替える機械式のサーモスタットである、請求項２に記載のコードリール。
【請求項４】
前記サーモスタットは、手動復帰式である、請求項３に記載のコードリール。
【請求項５】
前記リールの前記側板部に配されたパイロットランプをさらに有し、前記パイロットランプは、前記電源プラグが前記三相電源に差し込まれていない状態では消灯し、前記電源プラグが前記三相電源に差し込まれている状態では、前記電源コードの温度が所定温度未満の正常時と、前記電源コードの温度が所定温度以上の異常時とにおいて、互いに異なる色で点灯するよう構成されている、請求項１〜４のいずれか一項に記載のコードリール。
【考案の詳細な説明】
【技術分野】
【０００１】
本考案は、コードリールに関する。
【背景技術】
【０００２】
コードリールは、例えば、電機器具を商用電源の電源コンセントから離れた場所で使用するとき等に用いられる。コードリールは、リールと、リールに巻き取られた電源コードと、リールの側面に設けられるとともに前記電源コードから給電される出力コンセントとを備える。そして、コードリールは、電源コードの電源プラグを商用電源の電源コンセントに差し込み、コードリールの出力コンセントに電機器具の差込プラグを差し込むことで、電源と電機器具との間を中継する。
【０００３】
かかるコードリールには、電源コードをリールに巻いたままの状態で使用できる負荷電流、消費電力の制限値が定められている。そして、この制限値を超えてコードリールを使用する場合は、電源コードをリールから全て引き出して使用することがコードリールの正しい使用方法として定められている。この正しい使用方法は、例えばコードリールの表面や取扱説明書等に記載されることで、使用者に注意喚起される。
【０００４】
しかしながら、使用者によっては、かかる正しい使用方法に反して、電源コードを必要分だけリールから引き出し、残りはリールに巻き取られた状態で使用する場合が考えられる。このような状態で長時間電源コードに通電し続けると、電源コードの胴部に巻き取られている部分の放熱性が悪く、当該部分が過度に高温になるおそれが考えられる。
【０００５】
そこで、特許文献１には、リールに巻き取られた電源コードの温度が所定の遮断設定温度となったときに、電源コードから出力コンセントへの給電を強制的に遮断する遮断用熱動スイッチを備えたコードリールが開示されている。
【０００６】
特許文献１に記載のコードリールにおいて、電源コードは、電圧線及び接地線の一対の電線を備えた単相の電源コードである。そして、前記遮断用熱動スイッチは、単相の電源コードの一対の電線（電圧線及び接地線）のうち、一本（電圧線）の通電を遮断することにより、電源コードの通電を遮断している。
【先行技術文献】
【特許文献】
【０００７】
【特許文献１】実用新案登録第２５４１８１１号公報
【考案の概要】
【考案が解決しようとする課題】
【０００８】
しかしながら、特許文献１に記載の技術を、三相の電源コードに直接適用することはできない。すなわち、電源コードが三相のコードである場合、三本（三相）の電線のうちの一本の通電を遮断しても、他の二本は通電状態が継続されるため、電源コードの発熱を止めることはできない。そのため、三相の電源コードが過度に高温になることを防止するためには工夫が必要である。
【０００９】
本考案は、かかる背景に鑑みてなされたものであり、電源コードが過度に高温になることを防止することができるコードリールを提供しようとするものである。
【課題を解決するための手段】
【００１０】
本考案の一態様は、筒状の胴部と、軸方向の前記胴部の両端部に配される側板部とを備えたリールと、
外部の三相電源に差し込み可能な電源プラグを一端に備えるとともに、前記胴部の外周部に巻き取られる三相の電源コードと、
前記リールに設けられるとともに、前記電源コードの他端側に接続された出力コンセントと、
前記電源コードの温度を感知する感温部と、
前記感温部で感知する前記電源コードの温度が所定温度以上であるときに、前記電源コードの三相すべての相の電線から前記出力コンセントへの給電を遮断する遮断部と、を有する、コードリールにある。
【考案の効果】
【００１１】
本態様のコードリールにおいては、感温部で感知する電源コードの温度が所定温度以上であるときに、電源コードの三相すべての相の電線から出力コンセントへの給電を遮断する遮断部を有する。それゆえ、電源コードの温度が所定温度以上となった場合に、電源コードの各相の電線と出力コンセントとの接続を遮断することができる。これにより、電源コードが過度に高温になることを防止することができる。
【００１２】
以上のごとく、前記態様によれば、電源コードが過度に高温になることを防止することができるコードリールを提供することができる。
【図面の簡単な説明】
【００１３】
【図１】実施例１における、コードリールの正面図。
【図２】実施例１における、コードリールの側面図。
【図３】実施例１における、コードリールの背面図。
【図４】実施例１における、正常時のコードリールの回路図。
【図５】実施例１における、異常時のコードリールの回路図。
【考案を実施するための形態】
【００１４】
前記コードリールにおいて、前記遮断部は、前記電源コードの各相と前記出力コンセントとの間に接続された３つの接点と、通電状況に応じて３つの前記接点のオンオフを切り替える操作コイルと、を有する電磁接触器であることが好ましい。この場合、遮断部を構成するために複雑な制御回路等を構成する必要がなく、コードリールの生産性を向上させることができる。
【００１５】
また、前記感温部は、前記操作コイルに接続されるとともに、前記電源コードの温度に応じて前記操作コイルを通電状態と非通電状態との間で切り替える機械式のサーモスタットであることが好ましい。この場合、感温部を構成するために複雑な制御回路等を構成する必要がなく、コードリールの生産性を向上させることができる。
【００１６】
また、前記サーモスタットは、手動復帰式であることが好ましい。この場合には、一旦サーモスタットが３つの前記接点をオフにし、出力コンセントへの通電を遮断した後は、使用者が遮断解除操作をしない限りは出力コンセントへの給電が復帰することはない。これにより、使用者の意思に反して、出力コンセントに接続した電気機器への給電が再開されることを防止することができる。
【実施例】
【００１７】
（実施例１）
コードリールの実施例につき、図１〜図５を用いて説明する。
本例のコードリール１は、図１、図２に示すごとく、リール２と電源コード３と出力コンセント４と感温部５と遮断部６とを有する。図２に示すごとく、リール２は、筒状の胴部２１と、軸方向Ｘの胴部２１の両端部に配される側板部２２とを備える。図示は省略するが、電源コード３は、外部の三相電源に差し込み可能な電源プラグを一端に備える。また、電源コード３は、胴部２１の外周部に巻き取り可能に構成されている。図１に示すごとく、出力コンセント４は、リール２に設けられている。また、出力コンセント４は、電源コード３における電源プラグ側と反対側の端部に接続されている。感温部５は、電源コード３の温度を感知する。遮断部６は、感温部５で感知する電源コード３の温度が所定温度以上であるときに、電源コード３の三相すべての相の電線から出力コンセント４への給電を遮断する。以後、本例のコードリール１につき詳説する。
【００１８】
本例においては、コードリール１が地面等に設置された姿勢において、鉛直方向となる方向を上下方向Ｚという。また、単に軸方向Ｘといったときは、リール２の巻回軸が延びる方向を意味するものとする。軸方向Ｘは、上下方向Ｚと直交している。また、軸方向Ｘの一方側であって、リール２における出力コンセント４が配置される側を前方、その反対側を後方とする。
【００１９】
コードリール１は、商用電源、発電機等の三相交流２００Ｖの三相電源（図示略）と、当該三相電源による電力を消費する各種電気器具（図示略）とを接続するために使用される。コードリール１は、電源コード３の電源プラグを三相電源に挿入接続し、出力コンセント４に各種電気器具のコンセントプラグを接続することにより、三相電源と各種電気器具との間を電気的に中継する。
【００２０】
図１〜図３に示すごとく、コードリール１は、リール２を支持する支持体７を有する。支持体７は、下端部に形成された一対の脚部７１と、上端部に形成された把持部７２と、脚部７１と把持部７２とを連結する背部７３と、背部７３に固定されるとともにリール２の回転の中心となる回転軸部７４と、を有する。
【００２１】
脚部７１は、支持体７の下端部に形成されており、コードリール１を地面等に置く際に、地面等に当接する部位である。把持部７２は、支持体７の上端部に形成されており、コードリール１の使用者がコードリール１を持ち運びする際に把持する部位である。背部７３は、脚部７１と把持部７２との後端部を上下方向Ｚに連結している。換言すれば、脚部７１と把持部７２は、背部７３から前方に突出している。背部７３における上下方向Ｚの中央部に、回転軸部７４が固定されている。
【００２２】
回転軸部７４は、背部７３に対して垂直に形成されている。回転軸部７４は、背部７３から前方に向かって、軸方向Ｘに延在するよう形成されている。回転軸部７４に対して回転可能となるよう、リール２が支持体７に支持されている。
【００２３】
リール２は、前述のごとく胴部２１と側板部２２とを有する。胴部２１は、軸方向Ｘに高さを有する円筒状に形成されており、側板部２２は、胴部２１よりも外周側に突出するよう円盤状に形成されている。一対の側板部２２は、胴部２１における両側の開口端を閉塞するよう胴部２１に嵌合されている。図１、図３に示すごとく、一対の側板部２２は、締結部材１１によって互いに軸方向Ｘに固定されている。
【００２４】
図１に示すごとく、一対の側板部２２のうちの前方の側板部２２である前方側板部２２１は、金属を円環状に形成してなる金属板部２２１ａと、金属板部２２１ａの開口を前方から閉塞するとともに、樹脂を円盤状に形成してなる樹脂板部２２１ｂとを有する。
【００２５】
樹脂板部２２１ｂには、電源コード３に電気接続された３つの出力コンセント４がボルト締結されている。３つの出力コンセント４は、回転軸部７４を軸方向Ｘに直交する３方向から囲むよう配されている。３つの出力コンセント４は、互いに並列に、電源コード３に電気接続されている。なお、図４、図５においては、１つの出力コンセント４のみを表している。
【００２６】
前述のごとく、各出力コンセント４は、電源コード３の三相の電線（第一電線３１、第二電線３２、及び第三電線３３）と、電源コード３の接地用の電線（第四電線３４）とに接続される、４つの端子（第一端子４１、第二端子４２、第三端子４３、及び第四端子４４）を備える。第一端子４１は、第一電線３１に電気接続され、第二端子４２は第二電線３２に電気接続され、第三端子４３は第三電線３３に電気接続され、第四端子４４は第四電線３４に電気接続されている。また、樹脂板部２２１ｂには、出力コンセント４不使用時等に出力コンセント４を覆うカバー１３が取り付けられている。
【００２７】
樹脂板部２２１ｂには、パイロットランプ８が取り付けられている。図４、図５に示すごとく、パイロットランプ８には、赤色に発光する赤色ＬＥＤ８２と、緑色に発光する緑色ＬＥＤ８１とが内蔵されている。そして、詳細は後述するが、パイロットランプ８は、電源コード３の温度が所定温度未満の正常時には緑色に点灯し、電源コード３の温度が所定温度以上の異常時には赤色に点灯し、電源コード３に電流が流れていない時は消灯するよう構成されている。これにより、コードリール１の使用者は、コードリール１の状態を一目で把握することができる。
【００２８】
図１、図２に示すごとく、金属板部２２１ａの外周部には、コードリール１の使用者が、電源コード３をリール２に巻き取る際に掴んでリール２を回転させるための取手部２２１ｃが形成されている。なお、図３に示すごとく、一対の側板部２２における後方の側板部２２である後方側板部２２２は、一枚の円盤状の金属板からなる。そして、図２に示すごとく、胴部２１の外周側、かつ、一対の側板部２２の間の領域に、電源コード３が巻回される。
【００２９】
図２に示すごとく、電源コード３における電源プラグと反対側の部位は、胴部２１に貫通形成された引出孔２１１から胴部２１内に入っている。引出孔２１１は、軸方向Ｘにおける胴部２１の中央部に形成されている。電源コード３における胴部２１の引出孔２１１を貫通する部位は、固定部材１０によって胴部２１に固定されている。電源コード３における胴部２１内に配された部位は、出力コンセント４側に電気接続されている。図４、図５に示すごとく、電源コード３の第一電線３１、第二電線３２、第三電線３３は、遮断部６としての電磁接触器の３つの接点６１を介して出力コンセント４の第一端子４１、第二端子４２、第三端子４３に接続されている。なお、第四電線３４は、電磁接触器６を介さずに、出力コンセント４の第四端子４４に接続されている。以後、適宜、遮断部６を電磁接触器６という。
【００３０】
図２に示すごとく、電磁接触器６は、胴部２１の内部に収容されている。電磁接触器６は、軸方向Ｘに長尺に形成されている。図３に示すごとく、電磁接触器６は、後方側板部２２２に対してボルト及びナットからなる締結部材１４によって締結されている。
【００３１】
電磁接触器６は、電源コード３の各相の電線に接続された３つの接点６１と、通電の有無により３つの接点６１のオンオフを切り替える操作コイル６２と、を有する。以後、第一電線３１に接続された接点６１を第一接点６１１、第二電線３２に接続された接点６１を第二接点６１２、第三電線３３に接続された接点６１を第三接点６１３と呼ぶ。また、電磁接触器６は、第一電線３１に対して、第一接点６１１と並列に接続された第四接点６１４を備える。そして、これら第一〜第四接点６１１〜６１４は、共通の操作コイル６２により、オンオフが操作される。すなわち、第一〜第四接点６１１〜６１４は、共通の操作コイル６２の起磁力によって、オンオフが操作される。
【００３２】
図４に示すごとく、電磁接触器６は、操作コイル６２が通電状態にあるとき、第一〜第三接点６１１〜６１３をオンにし、第四接点６１４をオフにする。一方、図５に示すごとく、電磁接触器６は、操作コイル６２が非通電状態にあるとき、第一〜第三接点６１１〜６１３をオフにし、第四接点６１４をオンにする。
【００３３】
図４、図５に示すごとく、第一接点６１１における電源コード３側と反対側は、出力コンセント４の第一端子４１に電気接続されている。第二接点６１２における電源コード３側と反対側は、出力コンセント４の第二端子４２に電気接続されている。第三接点６１３における電源コード３側と反対側は、出力コンセント４の第三端子４３に電気接続されている。
【００３４】
第一接点６１１における第一端子４１側と、第三接点６１３における第三端子４３側とには、整流用のダイオード１５、緑色ＬＥＤ８１、及び抵抗１６の直列回路が接続されている。抵抗１６は、当該直列回路に流れる電流を制限する。緑色ＬＥＤ８１は、アノード側が抵抗１６に接続されており、カソード側がダイオード１５のアノード側に接続されている。
【００３５】
第四接点６１４における第一電線３１側の反対側には、抵抗１７、赤色ＬＥＤ８２、及びダイオード１８の直列回路が接続されている。抵抗１７は、当該直列回路に流れる電流を制限する。赤色ＬＥＤ８２は、アノード側が抵抗１７に接続されており、カソード側がダイオード１８のアノード側に接続されている。ダイオード１８のカソード側は、第三電線３３に対して、第三接点６１３と並列に接続されている
【００３６】
電磁接触器６の第一〜第四接点６１１〜６１４のオンオフを操作する操作コイル６２の一方側は、第一接点６１１及び第四接点６１４と並列に、第一電線３１に接続されている。また、操作コイル６２の他方側は、第二接点６１２と並列に第二電線３２に接続されている。操作コイル６２の第二電線３２側には、感温部５としてのサーモスタットが接続されている。以後、適宜、感温部５をサーモスタット５という。
【００３７】
サーモスタット５は、機械式である。具体的には、サーモスタット５は、バイメタルを用いたものである。サーモスタット５は、一対の端子と、一対の端子を電気接続する端子間接点５１と、端子間接点５１のオンオフを操作するバイメタルとを有する。サーモスタット５は、電源コード３の温度に応じて操作コイル６２を通電状態と非通電状態との間で切り替える。本例において、サーモスタット５は、コードリール１の使用により電源コード３の温度が上昇し８０℃以上となると、バイメタルが変形して、図５に示すごとく端子間接点５１をオフに操作するよう構成されている。本例において、サーモスタット５は、手動復帰式である。すなわち、サーモスタット５は、バイメタルによって端子間接点５１がオフにされた後は、コードリール１の使用者等が手動で端子間接点５１をオンにしなければ、端子間接点５１がオンに復帰しないよう構成されている。なお、サーモスタット５は、自動復帰式であってもよい。
【００３８】
図２に示すごとく、サーモスタット５は、胴部２１における引出孔２１１と軸方向Ｘの同じ位置であって、引出孔２１１から周方向にずれた位置に形成されている。サーモスタット５は、胴部２１を径方向に貫通するよう形成された貫通孔に挿入されており、胴部２１に対してボルト締結されている。サーモスタット５は、少なくともバイメタルが配された部位が胴部２１の外周側に露出するよう胴部２１に取り付けられている。これにより、胴部２１に電源コード３が巻回された際、電源コード３がサーモスタット５に直接当接し、サーモスタット５が電源コード３の温度を直接的に感知することができる。
【００３９】
次に、本例のコードリール１の動作につき説明する。
まず、図４を用いて、サーモスタット５で感知する電源コード３の温度が８０℃未満である、正常時のコードリール１の動作につき、説明する。
【００４０】
正常時のとき、サーモスタット５の端子間接点５１はオン状態である。これに伴い、サーモスタット５に接続された操作コイル６２は、第一電線３１と第二電線３２とに接続され通電状態となる。これにより、操作コイル６２の起磁力により、第一〜第三接点６１１〜６１３はオンとなり、第四接点６１４はオフとなる。
【００４１】
第一〜第三接点６１１〜６１３がオンとなることにより、第一〜第三電線３１〜３３が出力コンセント４の第一〜第三端子４１〜４３と導通する。これにより、コードリール１の使用者がコードリール１の出力コンセント４に各種電気機器のプラグを差し込むことで、当該電気機器と三相電源とが導通し、当該電気機器が使用可能状態となる。
【００４２】
また、第一接点６１１、第三接点６１３がオンとなることにより、これらに接続された緑色ＬＥＤ８１が第一電線３１及び第三電線３３と導通し、緑色に発光する。一方、前述のごとく第四接点６１４はオフとなるため、これに接続された赤色ＬＥＤ８２には電流が流れず、赤色ＬＥＤ８２は発光しない。そして、コードリール１の使用者は、パイロットランプ８が緑色に発光していることから、コードリール１が正常（すなわち、電源コード３の温度が８０℃未満）であることを認識する。
【００４３】
次に、図５を用いて、サーモスタット５で感知する電源コード３の温度が８０℃以上となる、異常時のコードリール１の動作につき、説明する。
【００４４】
サーモスタット５で感知する電源コード３の温度が８０℃以上となった場合、サーモスタット５のバイメタルが変形して端子間接点５１をオフにする。これに伴い、サーモスタット５に接続された操作コイル６２は非通電状態となる。これにより、操作コイル６２から第一〜第四接点６１１〜６１４への起磁力がなくなり、第一〜第三接点６１１〜６１３はオフになり、第四接点６１４はオンとなる。
【００４５】
第一〜第三接点６１１〜６１３がオフとなることにより、第一〜第三電線３１〜３３から出力コンセント４の第一〜第三端子４１〜４３への導通が遮断される。これにより、コードリール１の出力コンセント４に各種電気機器のプラグを差し込んでも、当該電気機器に電気が流れず、当該電気機器が使用不可能状態となる。
【００４６】
また、第一接点６１１、第三接点６１３がオフとなることにより、これらに接続された緑色ＬＥＤ８１には電流が流れず、緑色ＬＥＤ８１は発光しない。一方、前述のごとく第四接点６１４はオンとなり、赤色ＬＥＤ８２が第一電線３１と第三電線３３との間で導通し、赤色に発光する。そして、コードリール１の使用者は、パイロットランプ８が赤色に発光していることから、コードリール１に異常が発生している（すなわち、電源コード３の温度が８０℃以上となっている）ことを認識する。
【００４７】
次に、本例の作用効果につき説明する。
本態様のコードリール１においては、感温部５で感知する電源コード３の温度が所定温度以上であるときに、電源コード３の三相すべての相の電線から出力コンセント４への給電を遮断する遮断部６を有する。それゆえ、電源コード３の温度が所定温度以上となった場合に、電源コード３の各相の電線（第一電線３１、第二電線３２、及び第三電線３３）と出力コンセント４との接続を遮断することができる。これにより、電源コード３が所定温度以上となった後に電源コード３への通電が継続し、電源コード３が過度に高温になることを防止することができる。
【００４８】
また、遮断部６は、電源コード３の各相と出力コンセント４との間に接続された３つの接点６１と、通電状況に応じて３つの接点６１のオンオフを切り替える操作コイル６２と、を有する電磁接触器６である。それゆえ、遮断部６を構成するために複雑な制御回路等を構成する必要がなく、コードリール１の生産性を向上させることができる。
【００４９】
また、感温部５は、操作コイル６２に接続されるとともに、電源コード３の温度に応じて操作コイル６２を通電状態と非通電状態との間で切り替える機械式のサーモスタット５である。これにより、感温部５を構成するために複雑な制御回路等を構成する必要がなく、コードリール１の生産性を向上させることができる。
【００５０】
また、サーモスタット５は、手動復帰式である。それゆえ、一旦サーモスタット５が３つの接点６１をオフにし、出力コンセント４への通電を遮断した後は、使用者が遮断解除操作をしない限りは出力コンセント４への給電が復帰することはない。これにより、使用者の意思に反して、出力コンセント４に接続した電気機器への給電が再開することを防止することができる。
【００５１】
また、コードリール１は、リール２の側板部２２に配されたパイロットランプ８を有する。パイロットランプ８は、電源プラグが三相電源に差し込まれていない状態では消灯するよう構成されている。また、パイロットランプ８は、電源プラグが三相電源に差し込まれている状態では、電源コード３の温度が所定温度未満の正常時と、電源コード３の温度が所定温度以上の異常時とにおいて、互いに異なる色で点灯するよう構成されている。これにより、コードリール１の使用者は、コードリール１の状態を一目で把握することができる。
【００５２】
以上のごとく、本例によれば、電源コードが過度に高温になることを防止することができるコードリールを提供することができる。
【００５３】
本考案は、前記各実施例に限定されるものではなく、その要旨を逸脱しない範囲において種々の実施例に適用することが可能である。
【符号の説明】
【００５４】
１  コードリール
２  リール
２１  胴部
２２  側板部
３  電源コード
４  出力コンセント
５  感温部（サーモスタット）
６  遮断部（電磁接触器）
【図１】
0003218507.tif 000003
【図２】
0003218507.tif 000004
【図３】
0003218507.tif 000005
【図４】
0003218507.tif 000006
【図５】
0003218507.tif 000007